(57)【要約】【課題】施工が容易で、防水性能に優れた丸形サッシの取付構造を提供する。【解決手段】建物１の開口部Ｋが矩形状をなしており、この開口部Ｋに固定される矩形枠状のサッシ枠部４と、該サッシ枠部４の内側に形成されて内部に窓部材６が嵌め込まれる円環状の窓支持部５とを有する丸形サッシ３が、サッシ枠部４を開口部Ｋに固定することによって取り付けられ、開口部Ｋ周囲の外壁面２aとサッシ枠部４との境界部分に、該境界部分を覆うように防水シート１１が設けられている。【選択図】図４
2006219873.tif 000002
【特許請求の範囲】
【請求項１】
建物の開口部に取り付けられてなる丸形サッシの取付構造であって、
前記開口部が矩形状をなしており、
この開口部に固定される矩形枠状のサッシ枠部と、該サッシ枠部の内側に形成されて内部に窓部材が嵌め込まれる円環状の窓支持部とを有する丸形サッシが、前記サッシ枠部を前記開口部に固定することによって取り付けられ、
前記開口部周囲の壁面と前記サッシ枠部との境界部分に、該境界部分を覆うように防水部材が設けられていることを特徴とする丸形サッシの取付構造。
【請求項２】
請求項１に記載の丸形サッシの取付構造において、
前記サッシ枠部と前記窓支持部とは樹脂製であることを特徴とする丸形サッシの取付構造。
【請求項３】
請求項１又は２に記載の丸形サッシの取付構造において、
前記開口部に、前記丸形サッシの裏面から前記開口部周囲の内壁面に跨るように化粧枠が取り付けられていることを特徴とする丸形サッシの取付構造。
【請求項４】
請求項１〜３のいずれか一項に記載の丸形サッシの取付構造において、
前記丸形サッシの裏面に断熱材が設けられていることを特徴とする丸形サッシの取付構造。
【請求項５】
請求項１〜４のいずれか一項に記載の丸形サッシの取付構造において、
前記開口部を形成する内周面と前記サッシ枠部との間に調整材が設けられていることを特徴とする丸形サッシの取付構造。
【発明の詳細な説明】
【技術分野】
【０００１】
本発明は、建物の開口部に取り付けられてなる丸形サッシの取付構造に関する。
【背景技術】
【０００２】
例えば、建物の外壁に丸形窓を取り付ける場合、円形状にくり抜かれた開口部が形成された壁面材を間柱と水平材との間に設置して、その円形状の開口部に円筒状の取付枠を取
り付け、さらに、その取付枠に円筒状の丸窓を嵌め込むことによって取り付けている（例えば、特許文献１参照）。また、取付枠の端面と壁面材との間の境界部分には止水材（防水シート等）を設けて水密にしており、さらに、取付枠と丸窓との間の境界部分にも止水材を設けて水密にしている。
【特許文献１】特開２００４−３１９４号公報
【発明の開示】
【発明が解決しようとする課題】
【０００３】
しかしながら、上記特許文献１に記載の丸形窓の取付構造において、壁面材の開口部に取り付けられる取付枠と、この取付枠に嵌め込まれる丸形窓とは、ともに円筒状をなしているので、壁面材と取付枠との間の境界部分及び取付枠と丸形窓との間の境界部分に、それぞれ止水材を円形状に設けなければならず、止水材を矩形状に設ける場合に比して、その作業が煩雑で手間がかかるという問題があった。
本発明は、上記事情に鑑みてなされたもので、施工が容易で、防水性能に優れた丸形サッシの取付構造を提供することを目的としている。
【課題を解決するための手段】
【０００４】
上記課題を解決するため、請求項１の発明は、例えば、図１〜図４に示すように、建物１の開口部Ｋに取り付けられてなる丸形サッシ３の取付構造であって、
前記開口部Ｋが矩形状をなしており、
この開口部Ｋに固定される矩形枠状のサッシ枠部４と、該サッシ枠部４の内側に形成されて内部に窓部材６が嵌め込まれる円環状の窓支持部５とを有する丸形サッシ３が、前記サッシ枠部４を前記開口部Ｋに固定することによって取り付けられ、
前記開口部Ｋ周囲の壁面（例えば、外壁面２a）と前記サッシ枠部４との境界部分に、該境界部分を覆うように防水部材（例えば、防水シート１１）が設けられていることを特徴とする。
【０００５】
請求項１の発明によれば、矩形状の開口部Ｋに固定される矩形枠状のサッシ枠部４と、サッシ枠部４の内側に形成されて内部に窓部材６が嵌め込まれる円環状の窓支持部５とを有する丸形サッシ３が、サッシ枠部４を開口部Ｋに固定することによって取り付けられ、開口部Ｋ周囲の壁面２aとサッシ枠部４との境界部分に、該境界部分を覆うように防水部材１１が設けられているので、矩形状の開口部Ｋに矩形枠状のサッシ枠部４を取り付け、開口部Ｋ周囲の壁面２aとサッシ枠部４との間に防水シート１１等の防水部材を矩形枠状に設ければ良いため、その作業が容易で施工を短縮でき、防水性能に優れた構造とすることができる。
【０００６】
請求項２の発明は、例えば、図１〜図４に示すように、請求項１に記載の丸形サッシ３の取付構造において、
前記サッシ枠部４と前記窓支持部５とは樹脂製であることを特徴とする。
【０００７】
請求項２の発明によれば、サッシ枠部４と窓支持部５とは樹脂製であるので、成形が容易で、また、一体成形が可能となる。しかも、アルミニウム製に比べて断熱性能に優れる。
【０００８】
請求項３の発明は、例えば、図２、図３に示すように、請求項１又は２に記載の丸形サッシ３の取付構造において、
前記開口部Ｋに、前記丸形サッシ３の裏面から前記開口部Ｋ周囲の内壁面２bに跨るように化粧枠９が取り付けられていることを特徴とする。
【０００９】
請求項３の発明によれば、開口部Ｋに丸形サッシ３の裏面から開口部Ｋ周囲の内壁面２bに跨るように化粧枠９が取り付けられているので、この化粧枠９によって丸形サッシ３が覆われて室内側から見えることがなく、意匠面で優れる。
【００１０】
請求項４の発明は、例えば、図５に示すように、請求項１〜３のいずれか一項に記載の丸形サッシ３の取付構造において、
前記丸形サッシ３の裏面に断熱材Ｄが設けられていることを特徴とする。
【００１１】
請求項４の発明によれば、丸形サッシ３の裏面に断熱材Ｄが設けられているので、断熱性に非常に優れた構造とすることができる。
【００１２】
請求項５の発明は、例えば、図２〜図３に示すように、請求項１〜４のいずれか一項に記載の丸形サッシ３の取付構造において、
前記開口部Ｋを形成する内周面Ｋaと前記サッシ枠部４との間に調整材１４が設けられていることを特徴とする。
【００１３】
請求項５の発明によれば、開口部Ｋを形成する内周面Ｋaとサッシ枠部４との間に調整材１４が設けられているので、この調整材１４によって丸形サッシ３を取り付けた際のがたつきを防止することができ、丸形サッシ３を開口部Ｋに強固でかつ確実に取り付けることができる。
【発明の効果】
【００１４】
本発明に係る丸形サッシの取付構造によれば、矩形状の開口部に、円環状の窓支持部が形成された矩形枠状のサッシ枠部を取り付け、防水部材を開口部周囲の壁面とサッシ枠部との間の境界部分に矩形枠状に設ければ良いため、その作業が容易で施工を短縮でき、防水性能に優れた構造とすることができる。
【発明を実施するための最良の形態】
【００１５】
以下、本発明の実施の形態について図面を参照しながら説明する。
図１は、本発明の実施の形態の丸形サッシの斜視図、図２は丸形サッシの取付構造を示した縦断面図、図３は、丸形サッシの取付構造を示した横断面図、図４は、図２及び図３における分解斜視図である。
図１〜図３に示すように、本実施の形態における建物１は、パネル工法により構築されており、パネル工法とは、予め工場等で製造された木質パネルを現場で基礎に組み付けていくことにより、住宅の床、壁、屋根等を構築するものである。そして、この建物１を構成する壁パネル２には矩形状の開口部Ｋが形成され、開口部Ｋに丸形サッシ３が取り付けられている。
【００１６】
丸形サッシ３は、開口部Ｋに固定される矩形枠状のサッシ枠部４と、このサッシ枠部４の内側に一体に形成されて内部に丸形状の窓部材６が嵌め込まれる円環状の窓支持部５とを有している。
これらサッシ枠部４及び窓支持部５は、ともにＦＲＰ樹脂等の樹脂を材料とし、この樹脂材料を押出成形することによって一体成形されている。
【００１７】
サッシ枠部４は、矩形枠状の枠体部４１の表面に板状のフランジ部４２が一体に形成されてなり（図４参照）、フランジ部４２が壁パネル２の外壁面２aに当接するとともに、枠体部４１が開口部Ｋの内周面Ｋaに当接するように開口部Ｋに配置されている。そして、フランジ部４２から壁パネル２の外壁面２aに向けてネジＮがねじ込まれ、枠体部４１から開口部Ｋの内周面Ｋaに向けてネジＮがねじ込まれることによって、丸形サッシ３が開口部Ｋに固定されている。なお、枠体部４１と開口部Ｋの上面、左右側面との間には、調整材１４が介されてネジ止めされている。
【００１８】
また、このサッシ枠部４の内側に一体に形成された窓支持部５は、フランジ部４２の表面及び裏面からそれぞれ突出して設けられている。
窓支持部５の中央には円形状の嵌合穴５１が形成されており、この嵌合穴５１に丸形状の窓部材６が嵌め込まれている。
【００１９】
窓部材６は、窓フレーム６１と窓ガラス６２とを備え、窓ガラス６２は二重ガラスとなっている。
この窓部材６は、窓支持部５の裏面側から嵌合穴５１に嵌め込まれて、断面視略Ｌ字型の取付部材７を介して窓支持部５にネジ止めされている。また、嵌合穴５１に嵌め込まれた窓部材６は、その表面側の周縁部が窓支持部５に覆われて、さらに、その窓部材６の表面側の周縁部と窓支持部５との間には、防水をとるためのパッキン材８aが充填されている。
【００２０】
このようにして丸形サッシ３が取り付けられた開口部Ｋには、丸形サッシ３の裏面から壁パネル２の内壁面２bに跨って、丸形サッシ３を覆うように化粧枠９が取り付けられている。
化粧枠９は、円環状の化粧枠体部９１の裏面に化粧フランジ部９２が一体に形成されてなり（図４参照）、化粧枠体部９１の先端部が窓部材６に当接するとともに、化粧フランジ部９２の先端部が壁パネル２の内壁面２bである石膏ボード１０に当接している。
【００２１】
一方、壁パネル２の外壁面２aに固定されたサッシ枠部４１におけるフランジ部４２と外壁面２aとの境界部分に、該境界部分を覆うようにして防水シート（防水部材）１１がフランジ部４２の周縁部に沿って矩形枠状に貼り付けられている。
防水シート１１としては、例えば、両面ゴムアステープ等を使用することが好ましい。  そして、この防水シート１１の表面に胴縁１２が取り付けられ、胴縁１２の表面に外装材１３が取り付けられている。この外装材１３の開口部Ｋ側の端部には、丸形サッシ３の窓支持部５との防水をとるためのパッキン材８bが充填されている。
【００２２】
次に、上述の丸形サッシ３を開口部Ｋに取り付ける丸形サッシ３の取付方法について説明する。
図２〜図４に示すように、予め、窓支持部５の嵌合穴５１に窓部材６を嵌め込み、取付部材７を介してネジ止めすることによって窓部材６を丸形サッシ３に固定しておく。
次いで、この丸形サッシ３を、サッシ枠部４のフランジ部４２を壁パネル２の外壁面２aに、枠体部４１を開口部Ｋの内周面Ｋaに当接させて配置する。そして、フランジ部４２から壁パネル２の外壁面２aに、枠体部４１から開口部Ｋの内周面Ｋaに向けてネジＮをねじ込むことによって丸形サッシ３を開口部Ｋに固定する。なお、枠体部４１を開口部Ｋの上面及び左右側面に固定する場合には、調整材１４を介してネジ止めする。
その後、丸形サッシ３の裏面から開口部Ｋの内壁面Ｋaに跨って、丸形サッシ３を覆うように化粧枠１０を取り付ける。
【００２３】
一方、室外側において、サッシ枠部４のフランジ部４２の表面に、外壁面２aに跨るようにして矩形枠状に防水シート１１を貼り付ける。さらに、この防水シート１１の表面に胴縁１２を取り付け、胴縁１２の表面に外装材１３を取り付ける。この際に、外装材１３の開口部Ｋ側の端部と窓支持部５との間にパッキン材８bを充填する。パッキン材８bは、防水シート１１上に接着剤等を塗布することにより充填する。
【００２４】
以上、本発明の実施の形態における丸形サッシ３の取付構造によれば、壁パネル２の矩形状の開口部Ｋに、矩形枠状のサッシ枠部４と、サッシ枠部４の内側に一体に形成された円環状の窓支持部５とを有する丸形サッシ３が、サッシ枠部４のフランジ部４２及び枠体部４１を開口部Ｋにそれぞれ固定することによって取り付けられ、外壁面２aとフランジ部４２との境界部分に、その境界部分を覆うようにして防水シート１１が貼り付けられているので、従来と異なり、防水シート１１をその境界部分に矩形枠状に貼り付ければ良く、その作業が容易で施工を短縮でき、防水性能に優れた構造とすることができる。
【００２５】
また、サッシ枠部４と窓支持部５とは樹脂製で一体成形されていることから、これらサッシ枠部４と窓支持部５とを同時に製造でき、サッシ枠部４に窓支持部５を嵌め込んで設置するといった作業を省くことができる。また、サッシ枠部４と窓支持部５とが別体である場合に比べて、サッシ枠部４と窓支持部５との嵌め込み部分等の複雑な部分の防水が完全になり、嵌め込み部分に防水シート１１を貼り付ける必要もない。よって、サッシ枠部４と外壁面２aとの境界部分のみに矩形枠状に防水シート１１を貼り付ければ良く、この点においても施工が非常に容易となる。
また、樹脂材料からなるので、その成形も容易で、コストを低減できる。さらに、アルミニウム製に比べて断熱性能に優れる。
【００２６】
開口部Ｋに丸形サッシ３の裏面から壁パネル２の内壁面２bに跨るように化粧枠９が取り付けられているので、この化粧枠９によって丸形サッシ３が覆われて室内側から見えることがなく、意匠面で優れる。
また、開口部Ｋの上面及び左右側面とサッシ枠部４のフランジ部４２との間に調整材１４が設けられているので、丸形サッシ３を取り付けた際のがたつきを防止することができ、丸形サッシ３を開口部Ｋに強固でかつ確実に取り付けることができる。
【００２７】
なお、本発明は、上記実施の形態に限定されるものではなく、その要旨を逸脱しない範囲で適宜変更可能である。
例えば、上記実施の形態における丸形サッシ３の断熱性能を向上させるために、図５に示すように、丸形サッシ３の裏面、すなわち、サッシ枠部４のフランジ部４２の裏面で枠体部４１の内部に、窓部材６を囲むように断熱材Ｄを設けても良い。
【００２８】
また、サッシ枠部４はフランジ部４２と枠体部４１とから構成され、フランジ部４２が壁パネル２の外壁面２aに固定され、枠体部４１が開口部Ｋの内周面Ｋaに固定され、丸形サッシ３のうちの２箇所を開口部Ｋに固定するとしたが、これに限らず、例えば、サッシ枠部４をフランジ部４２のみから構成し、フランジ部４２の１箇所で固定するものとしても良いし、サッシ枠部４を枠体部４１のみから構成し、枠体部４１の１箇所で固定するものとしても良い。
【００２９】
さらに、上記サッシ枠部４と窓支持部５とは樹脂材料を押出成形により一体成形するとしたが、サッシ枠部４と窓支持部５とは別体としても構わない。
【図面の簡単な説明】
【００３０】
【図１】本発明の実施の形態を示すためのもので、丸形サッシの表面側から見た場合の斜視図である。
【図２】同、丸形サッシの取付構造を示す縦断面図である。
【図３】同、丸形サッシの取付構造を示す横断面図である。
【図４】同、図２及び図３における分解斜視図である。
【図５】その他の変形例を示すためのもので、丸形サッシの裏面側から見た場合の斜視図である。
【符号の説明】
【００３１】
１  建物
２a  外壁面（壁面）
２b  内壁面（壁面）
３  丸形サッシ
４  サッシ枠部
５  窓支持部
６  窓部材
９  化粧枠
１１  防水シート（防水部材）
１４  調整材
Ｄ  断熱材
Ｋ  開口部
Ｋa  内周面
【図１】
2006219873.tif 000003
【図２】
2006219873.tif 000004
【図３】
2006219873.tif 000005
【図４】
2006219873.tif 000006
【図５】
2006219873.tif 000007